(57)【特許請求の範囲】
【請求項１】
直流電源にスイッチング素子が接続される高周波発生手段と；
この高周波発生手段により発生された高周波電圧を多倍圧する多倍圧回路と；
この多倍圧回路に接続される高圧放電灯と；
上記高周波発生手段と上記多倍圧回路との間に接続される直流カット用コンデンサと；
上記直流カット用コンデンサと上記多倍圧回路との接続点と上記直流電源との間に、上記多倍圧回路側に陽極が、上記直流電源側に陰極が接続されるダイオードとを具備したことを特徴とする高圧放電灯点灯装置。
【請求項２】
上記直流カット用コンデンサと並列に放電抵抗が接続されていることを特徴とする請求項１記載の高圧放電灯点灯装置。
【発明の詳細な説明】
【０００１】
【発明の属する技術分野】
本発明は、高圧放電灯点灯装置に関する。
【０００２】
【従来の技術】
従来の高圧放電灯点灯装置について図４を参照して説明する。
図４において、Ｅは直流電源である。この直流電源Ｅの両端にはスイッチング素子としてＦＥＴＱ１、ＦＥＴＱ２が直列に接続されている。
【０００３】
ＦＥＴＱ２の両端にはチョ−クコイルＬとコンデンサＣ１とが直列に接続されている。
コンデンサＣ１の非接地側端子は直流カットコンデンサＣ２を介してコンデンサＣ３と逆極性に接続されるダイオ−ドＤ１との直列接続体が接続される。
【０００４】
コンデンサＣ３とダイオ−ドＤ１との接続点はダイオ−ドＤ２及びコンデンサＣ４を介してラインｂに接続される。
ダイオ−ドＤ２とコンデンサＣ４との接続点はダイオ−ドＤ３及びコンデンサＣ５を介してラインａに接続される。
【０００５】
ダイオ−ドＤ３とコンデンサＣ５との接続点はダイオ−ドＤ４及びコンデンサＣ６を介してラインｂに接続される。
ダイオ−ドＤ４とコンデンサＣ６との接続点はダイオ−ドＤ５及びコンデンサＣ７を介してラインａに接続される。
【０００６】
ダイオ−ドＤ５とコンデンサＣ７との接続点はダイオ−ドＤ６及びコンデンサＣ８を介して接地される。
ダイオ−ドＤ６及びコンデンサＣ８との接続点はダイオ−ドＤ７及びコンデンサＣ９を介してラインａに接続される。
【０００７】
さらに、ダイオ−ドＤ７及びコンデンサＣ９との接続点はダイオ−ドＤ８及びコンデンサＣ１０を介して接地される。
このコンデンサＣ１０の両端には放電抵抗Ｒ１が接続される。
【０００８】
上記ダイオ−ドＤ８とコンデンサＣ１０との接続点とラインａとの間には高圧放電灯１１が接続される。
ダイオ−ドＤ１〜Ｄ８及びコンデンサＣ３〜Ｃ１０により多倍圧回路１２が構成されている。
【０００９】
図４に示すような従来の高圧放電灯点灯装置では、直流電源Ｅが印加されるＦＥＴＱ１及びＱ２を高周波で交互にオン／オフを繰り返すように制御される。
このように、ＦＥＴＱ１及びＱ２を交互にオン／オフを繰り返すことにより、コンデンサＣ３にＥの電圧が、コンデンサＣ４に２Ｅの電圧が、コンデンサＣ５に３Ｅの電圧が、コンデンサＣ６に４Ｅの電圧が、コンデンサＣ７に５Ｅの電圧が、コンデンサＣ８に６Ｅの電圧が、コンデンサＣ９に７Ｅの電圧が、コンデンサＣ１０に８Ｅの電圧が充電される。
【００１０】
このようにして、高圧放電灯１１の両端に高周波である８Ｅの電圧を印加することにより、高圧放電灯１１を始動、点灯させるようにしている。
このように従来の高圧放電灯点灯装置では、多倍圧回路１２に高電圧を発生させ、ランプを始動、点灯させた時に、ダイオ−ドＤ１〜Ｄ８の順方向に発生する過大電流を直流カットコンデンサＣ２により相殺するようにしている。
【００１１】
【発明が解決しようとする課題】
しかしながら、従来の高圧放電灯点灯装置では、ランプが半波放電時、無負荷時に直流カットコンデンサに高電圧がかかるという問題があった。
本発明は上記の点に鑑みてなされたもので、その目的は、高圧放電灯が半波放電状態でも、直流カットコンデンサに高電圧がかからず、低耐圧のコンデンサを使用することができる高圧放電灯点灯装置を提供することにある。
【００１２】
【課題を解決するための手段】
請求項１に係わる高圧放電灯点灯装置は、直流電源にスイッチング素子が接続される高周波発生手段と；この高周波発生手段により発生された高周波電圧を多倍圧する多倍圧回路と；この多倍圧回路に接続される高圧放電灯と；上記高周波発生手段と上記多倍圧回路との間に接続される直流カット用コンデンサと；上記直流カット用コンデンサと上記多倍圧回路との接続点と上記直流電源との間に、上記多倍圧回路側に陽極が、上記直流電源側に陰極が接続されるダイオードとを具備したことを特徴とする。
【００１３】
このように構成することにより、高圧放電灯が半波放電時で、無負荷時のときに直流カットコンデンサに高電圧がかかるのを防止することができる。
請求項２に係わる高圧放電灯点灯装置は、直流カット用コンデンサと並列に放電抵抗が接続されていることを特徴とする。
【００１４】
【発明の実施の形態】
以下図面を参照して本発明の第１の実施の形態に係わる高圧放電灯点灯装置について説明する。図１において、Ｅは直流電源である。直流電源Ｅは、たとえば交流電源電圧を整流して得られる。この直流電源Ｅの両端にはスイッチング素子としてＦＥＴＱ１、ＦＥＴＱ２が直列に接続されている。この直流電源ＥとＦＥＴＱ１，Ｑ２により高周波発生手段が構成される。さらに、多倍圧回路１２と高周波発生手段１０との間に、多倍圧回路１２側の陽極が、高周波発生手段１０側に陰極が接続されるように、ダイオ−ドＤが接続される。このダイオ−ドＤは高圧放電灯１１の半波放電時に直流カットコンデンサＣ２にかかる高電圧を低下させるように機能する。つまり、直流カットコンデンサＣ２に図示のように充電された高電圧をダイオ−ドＤを介して帰還させるようにしている。
【００１５】
ＦＥＴＱ２の両端にはチョ−クコイルＬとコンデンサＣ１とが直列に接続されている。
コンデンサＣ１の非接地側端子は直流カットコンデンサＣ２を介してコンデンサＣ３と逆極性に接続されるダイオ−ドＤ１との直列接続体が接続される。
【００１６】
コンデンサＣ３とダイオ−ドＤ１との接続点はダイオ−ドＤ２及びコンデンサＣ４を介してラインｂに接続される。
ダイオ−ドＤ２とコンデンサＣ４との接続点はダイオ−ドＤ３及びコンデンサＣ５を介してラインａに接続される。
【００１７】
ダイオ−ドＤ３とコンデンサＣ５との接続点はダイオ−ドＤ４及びコンデンサＣ６を介してラインｂに接続される。
ダイオ−ドＤ４とコンデンサＣ６との接続点はダイオ−ドＤ５及びコンデンサＣ７を介してラインａに接続される。
【００１８】
ダイオ−ドＤ５とコンデンサＣ７との接続点はダイオ−ドＤ６及びコンデンサＣ８を介して接地される。
ダイオ−ドＤ６及びコンデンサＣ８との接続点はダイオ−ドＤ７及びコンデンサＣ９を介してラインａに接続される。
【００１９】
ダイオ−ドＤ７とコンデンサＣ９との接続点はダイオ−ドＤ８，コンデンサＣ１０を介してラインｂに接続される。
このコンデンサＣ１０の両端には放電抵抗Ｒ１が接続される。
【００２０】
上記ダイオ−ドＤ８とコンデンサＣ１０との接続点とラインａとの間には高圧放電灯１１が接続される。
ダイオ−ドＤ１〜Ｄ８及びコンデンサＣ３〜Ｃ１０により多倍圧回路１２が構成されている。
【００２１】
このように構成された高圧放電灯点灯装置では、直流電源Ｅが印加されるＦＥＴＱ１及びＱ２を高周波で交互にオン／オフを繰り返すように制御される。
このように、ＦＥＴＱ１及びＱ２を交互にオン／オフを繰り返すことにより、コンデンサＣ３にＥの電圧が、コンデンサＣ４に２Ｅの電圧が、コンデンサＣ５に３Ｅの電圧が、コンデンサＣ６に４Ｅの電圧が、コンデンサＣ７に５Ｅの電圧が、コンデンサＣ８に６Ｅの電圧が、コンデンサＣ９に７Ｅの電圧が、コンデンサＣ１０に８Ｅの電圧が充電される。
【００２２】
このようにして、高圧放電灯１１の両端に高周波である８Ｅの電圧を印加することにより、高圧放電灯１１を点灯させるようにしている。
そして、高圧放電灯１１への半波放電時に直流カットコンデンサＣ２に図示した極性で充電される高電圧をダイオ−ドＤを介して高周波発生手段１０に帰還させている。このことにより、直流カットコンデンサＣ２にかかる高電圧を低下させることができる。
【００２３】
このように、高圧放電灯１１への半波放電時に直流カットコンデンサＣ２に加わる高電圧を低下させるようにしたので、低耐圧の直流カットコンデンサＣ２を使用することができる。
【００２４】
次に、図２を参照して本発明の第２の実施の形態について説明する。前述した第１の実施の形態においては、高周波発生手段１１は２つのＦＥＴＱ１，Ｑ２により構成されていたが、この第２の実施の形態では、スイッチング素子としてのＦＥＴＱ１，Ｑ２の直列接続体を２つ並列に接続した回路を直流電源Ｅの両端に接続している。つまり、この第２の実施の形態では、全波整流で高周波信号を発生させるようにしている。
【００２５】
ＦＥＴＱ１とＱ２との接続点は、チョ−クコイルＬの一端に接続される。
また、ＦＥＴＱ３とＱ４との接続点は、コンデンサＣ１の接地側端子に接続される。
【００２６】
このように構成された高圧放電灯点灯装置では、ＦＥＴＱ１及びＱ４、ＦＥＴＱ２及びＱ３を高周波で交互にオン／オフを繰り返すように制御する。
このように、ＦＥＴＱ１及びＱ２を交互にオン／オフを繰り返すことにより、コンデンサＣ３にＥの電圧が、コンデンサＣ４に２Ｅの電圧が、コンデンサＣ５に３Ｅの電圧が、コンデンサＣ６に４Ｅの電圧が、コンデンサＣ７に５Ｅの電圧が、コンデンサＣ８に６Ｅの電圧が、コンデンサＣ９に７Ｅの電圧が、コンデンサＣ１０に８Ｅの電圧が充電される。
【００２７】
このようにして、高圧放電灯１１の両端に高周波である８Ｅの電圧を印加することにより、高圧放電灯１１を点灯させるようにしている。
そして、高圧放電灯１１への半波放電時に直流カットコンデンサＣ２に図示した極性で充電される高電圧をダイオ−ドＤを介して高周波発生手段１０に帰還させている。このことにより、直流カットコンデンサＣ２にかかる高電圧を低下させることができる。
【００２８】
このように、高圧放電灯１１への半波放電時に直流カットコンデンサＣ２に加わる高電圧を低下させるようにしたので、低耐圧の直流カットコンデンサＣ２を使用することができる。
【００２９】
次に、本発明の第３の実施の形態について図３を参照して説明する。この第３の実施の形態では、高周波発生手段１１はＦＥＴＱ１とＦＥＴＱ２とを直列接続した回路にコンデンサＣａとＣｂの直列回路が並列に接続されている。
【００３０】
そして、ＦＥＴＱ１とＱ２との接続点はチョ−クコイルＬの一端に接続される。
このように構成された高圧放電灯点灯装置では、直流電源Ｅが印加されるＦＥＴＱ１及びＱ２を高周波で交互にオン／オフを繰り返すように制御する。
【００３１】
このように、ＦＥＴＱ１及びＱ２を交互にオン／オフを繰り返すことにより、コンデンサＣ３にＥの電圧が、コンデンサＣ４に２Ｅの電圧が、コンデンサＣ５に３Ｅの電圧が、コンデンサＣ６に４Ｅの電圧が、コンデンサＣ７に５Ｅの電圧が、コンデンサＣ８に６Ｅの電圧が、コンデンサＣ９に７Ｅの電圧が、コンデンサＣ１０に８Ｅの電圧が充電される。
【００３２】
このようにして、高圧放電灯１１の両端に高周波である８Ｅの電圧を印加することにより、高圧放電灯１１を点灯させるようにしている。
そして、高圧放電灯１１への半波放電時に直流カットコンデンサＣ２に加わる高電圧を低下させるようにしている。
【００３３】
このように、高圧放電灯１１への半波放電時に直流カットコンデンサＣ２に加わる高電圧を低下させるようにしたので、低耐圧の直流カットコンデンサＣ２を使用することができる。
【００３４】
【発明の効果】
請求項１及び請求項２記載の発明によれば、高周波発生手段と倍圧回路と高圧放電灯が半波放電状態のときに、電源側に帰還させるようにしたので、高周波発生手段と倍圧回路との間に接続されている直流カット用コンデンサの耐圧を低い耐圧にすることができる。
【図面の簡単な説明】
【図１】本発明の第１の実施の形態に係わる高圧放電灯点灯装置を示す回路図。
【図２】本発明の第２の実施の形態に係わる高圧放電灯点灯装置を示す回路図。
【図３】本発明の第３の実施の形態に係わる高圧放電灯点灯装置を示す回路図。
【図４】従来の高圧放電灯点灯装置を示す回路図。
【符号の説明】
１０…高周波発生手段、１１…高圧放電灯、１２…倍圧回路、Ｑ１〜Ｑ４…ＦＥＴ。
【図１】
0003915149.tif 000002
【図２】
0003915149.tif 000003
【図３】
0003915149.tif 000004
【図４】
0003915149.tif 000005